(57)【要約】【課題】ユーザ自らが簡易な仮想店舗ページを公開することができると共に、著作物としての商品紹介情報を継承することができるショッピングサイトサーバ等を提供する。【解決手段】ユーザＡの端末が、ショッピングサイトサーバに対して、販売対象オブジェクトａを含むユーザページＡを作成し且つ公開する。次に、ユーザＢの端末が、ショッピングサイトサーバに対して、ユーザページＡを閲覧し、販売対象オブジェクトａを継承する継承要求メッセージを送信する。次に、ユーザＢの端末が、販売対象オブジェクトａを含むユーザページＢを作成し且つ公開する。次に、ユーザＣの端末が、ユーザページＢを閲覧し、ショッピングサイトサーバへ、販売対象オブジェクトａに係る商品役務の購入要求を送信する。そして、ショッピングサイトサーバは、販売対象オブジェクトａに対する購入要求が、ユーザＡ及びユーザＢに基づくものであることを記録する。【選択図】図２
2014067213.tif 000002
【特許請求の範囲】
【請求項１】
ユーザによって操作可能な端末と、１つ以上の販売対象オブジェクトを含むユーザページを蓄積し且つ公開するショッピングサイトサーバとを有するシステムを用いたショッピングサイト提供方法であって、
前記販売対象オブジェクトは、画像と、当該画像が選択された際に表示すべき商品紹介情報とを含んでおり、
第１のユーザの端末が、前記ショッピングサイトサーバに対して、第１の販売対象オブジェクトを含む第１のユーザページを作成し且つ公開する第１のステップと、
第２のユーザの端末が、前記ショッピングサイトサーバに対して、第１のユーザページを閲覧し、第１のユーザページの第１の販売対象オブジェクトを継承する継承要求メッセージを送信する第２のステップと、
第２のユーザの端末が、第１の販売対象オブジェクトを含む第２のユーザページを作成し且つ公開する第３のステップと、
第３のユーザの端末が、前記ショッピングサイトサーバの第２のユーザページを閲覧し、第１の販売対象オブジェクトに係る商品役務の購入要求を、商取引を実行する外部サーバへ送信する第４のステップと
を有することを特徴とするショッピングサイト提供方法。
【請求項２】
前記ショッピングサイトサーバは、ソーシャルグループ関係にあるユーザの識別子同士を蓄積するソーシャルグループ蓄積部を更に有し、
第２のステップについて、前記ソーシャルグループ蓄積部を用いて、第２のユーザの識別子が、第１のユーザの識別子と特定のソーシャルグループ関係にあるか否かを判定し、真と判定された場合にのみ、第２のユーザの端末は、前記ショッピングサイトサーバに対して、第１のユーザページを閲覧し、第１の販売対象オブジェクトを継承することができる
ことを特徴とする請求項１に記載のショッピングサイト提供方法。
【請求項３】
第２のステップについて、第２のユーザの端末が、前記ショッピングサイトサーバに対して、第１の販売対象オブジェクトを含む第１のユーザページ自体を、第２のユーザページとして「共有」することよって第１のユーザページの全ての販売対象オブジェクトを継承することを特徴とする請求項１又は２に記載のショッピングサイト提供方法。
【請求項４】
前記外部サーバは、前記販売対象オブジェクトに基づく当該商品に関する商取引を実行する販売元サイトサーバであって、第１の販売対象オブジェクトに対する購入要求が、第１のユーザ及び第２のユーザに基づくものであることを記録することを特徴とする請求項１から３のいずれか１項に記載のショッピングサイト提供方法。
【請求項５】
前記外部サーバは、前記ショッピングサイトサーバであって、第１の販売対象オブジェクトに対する購入要求が、第１のユーザ及び第２のユーザに基づくものであることを記録することを特徴とする請求項１から３のいずれか１項に記載ショッピングサイト提供方法。
【請求項６】
前記外部サーバは、前記販売対象オブジェクト毎にその販売者の販売者口座と、前記ユーザページ毎にそのユーザのユーザ口座とを管理する課金管理部を有し、
前記外部サーバは、前記課金管理部へ、当該購入要求の第１の販売対象オブジェクトに基づく販売者の販売者口座から所定の報奨ポイント数を減算すると共に、第１のユーザのユーザ口座及び第２のユーザのユーザ口座にそれぞれ、前記報奨ポイント数を所定割合で分割して加算する
ことを特徴とする請求項４又は５に記載のショッピングサイト提供方法。
【請求項７】
第２のステップについて、複数の異なる第２のユーザの端末が順に、前記ショッピングサイトサーバに対して、第１のユーザページの第１の販売対象オブジェクトをそれぞれ親子関係を持って継承し、
前記外部サーバは、前記課金管理部へ、当該購入要求の第１の販売対象オブジェクトに基づく販売者の販売者口座から所定の報奨ポイント数を減算すると共に、第１のユーザのユーザ口座、及び、第１の販売対象オブジェクトを継承した複数の第２のユーザのユーザ口座にそれぞれ、前記報奨ポイント数を所定割合で分割して加算する
ことを特徴とする請求項６に記載のショッピングサイト提供方法。
【請求項８】
ユーザによって操作可能な端末と通信可能であって、１つ以上の販売対象オブジェクトを含むユーザページを蓄積し且つ公開するショッピングサイトサーバにおいて、
前記販売対象オブジェクトは、画像と、当該画像が選択された際に表示すべき商品紹介情報とを含んでおり、
第１のユーザ及び第２のユーザの端末からの要求に応じて、販売対象オブジェクトを含むユーザページを公開するユーザページ公開手段と、
第２のユーザの端末から、第１のユーザページの第１の販売対象オブジェクトを第２のユーザに継承する継承要求メッセージを受信し、前記ユーザページ公開手段に対して第１の販売対象オブジェクトを含む第２のユーザページを公開させる販売対象オブジェクト継承手段と
を有することを特徴とするショッピングサイトサーバ。
【請求項９】
ソーシャルグループ関係にあるユーザの識別子同士を蓄積するソーシャルグループ蓄積手段を更に有し、
前記販売対象オブジェクト継承手段は、前記ソーシャルグループ蓄積手段を用いて、第２のユーザの識別子が、第１のユーザの識別子と特定のソーシャルグループ関係にあるか否かを判定し、真と判定された場合にのみ、第２のユーザの端末に、第１のユーザページの第１の販売対象オブジェクトを継承させることを特徴とする請求項８に記載のショッピングサイトサーバ。
【請求項１０】
前記販売対象オブジェクト継承手段は、第２のユーザの端末が、前記ショッピングサイトサーバに対して、第１の販売対象オブジェクトを含む第１のユーザページ自体を、第２のユーザページとして「共有」することよって第１のユーザページの全ての販売対象オブジェクトを継承することを特徴とする請求項８又は９に記載のショッピングサイトサーバ。
【請求項１１】
第３のユーザの端末から、第２のユーザページの閲覧によって、第１の販売対象オブジェクトに係る商品役務の購入要求を受信する購入要求受信手段と、
第１の販売対象オブジェクトに対する購入要求が、第１のユーザ及び第２のユーザに基づくものであることを記録する購買履歴記録手段と
を更に有することを特徴とする請求項８から１０のいずれか１項に記載のショッピングサイトサーバ。
【請求項１２】
前記ショッピングサイトサーバは、前記販売対象オブジェクト毎にその販売者の販売者口座と、前記ユーザページ毎にそのユーザのユーザ口座とを管理する課金管理手段と、
前記課金管理手段へ、当該購入要求の第１の販売対象オブジェクトに基づく販売者の販売者口座から所定の報奨ポイント数を減算すると共に、第１のユーザのユーザ口座及び第２のユーザのユーザ口座にそれぞれ、前記報奨ポイント数を所定割合で分割して加算する課金制御手段と
を有することを特徴とする請求項１１に記載のショッピングサイトサーバ。
【請求項１３】
前記販売対象オブジェクト継承手段は、複数の異なる第２のユーザの端末が順に、前記ショッピングサイトサーバに対して、第１のユーザページの第１の販売対象オブジェクトをそれぞれ親子関係を持って継承し、
前記課金制御手段は、前記課金管理手段へ、当該購入要求の第１の販売対象オブジェクトに基づく販売者の販売者口座から所定の報奨ポイント数を減算すると共に、第１のユーザのユーザ口座、及び、第１の販売対象オブジェクトを継承した複数の第２のユーザのユーザ口座にそれぞれ、前記報奨ポイント数を所定割合で分割して加算する
ことを特徴とする請求項１２に記載のショッピングサイトサーバ。
【請求項１４】
ユーザによって操作可能な端末と通信可能であって、１つ以上の販売対象オブジェクトを含むユーザページを蓄積し且つ公開するサーバに搭載されたコンピュータを機能させるショッピングサイトプログラムにおいて、
前記販売対象オブジェクトは、画像と、当該画像が選択された際に表示すべき商品紹介情報とを含んでおり、
第１のユーザ及び第２のユーザの端末からの要求に応じて、販売対象オブジェクトを含むユーザページを公開するユーザページ公開手段と、
第２のユーザの端末から、第１のユーザページの第１の販売対象オブジェクトを第２のユーザに継承する継承要求メッセージを受信し、前記ユーザページ公開手段に対して第１の販売対象オブジェクトを含む第２のユーザページを公開させる販売対象オブジェクト継承手段と
してコンピュータを機能させることを特徴とするショッピングサイトプログラム。
【発明の詳細な説明】
【技術分野】
【０００１】
本発明は、インターネットを介したショッピングサイトの技術に関する。
【背景技術】
【０００２】
近年の電子商取引によれば、パーソナルコンピュータやスマートフォンのような端末から、インターネットを介してショッピングサイトサーバへアクセスすることよって、商品や役務を売買することが一般的になっている。また、購買者が、ショッピングサイトへ直接的にアクセスすることなく、第三者のブログサイトやメールマガジンを介してそのショッピングサイトへ誘導するというビジネスモデルもある。これは一般的に「アフィリエイト」（又はアソシエイト）と称される。
【０００３】
アフィリエイトによれば、第１のユーザ（紹介者）が、ショッピングサイトへのリンク（例えばＵＲＬ(Uniform Resource Locator)）を張ったブログサイトやメールマガジン等を配信し、第２のユーザがそれを閲覧する。そして、第２のユーザが、そのリンクを経由して当該ショッピングサイトで商品を購入した場合、そのリンク元の第１のユーザに対して報酬が支払われる。これは、「成果保証型広告」であって、第１のユーザの協力によってショッピングサイトで商品が購入されることとなる。第２のユーザとしては、第１のユーザが薦める商品であるから、購入したいとする動機が働くこととなる。一方で、ショッピングサイトとしては、第三者の紹介によって、潜在的にその商品に関心を持つユーザに到達することができると共に、成果（購入決定）が上がった場合にのみ報酬を支払えばよいという利点がある。
【先行技術文献】
【特許文献】
【０００４】
【特許文献１】特開２００８−２５０６４３号公報
【発明の概要】
【発明が解決しようとする課題】
【０００５】
従来のアフィリエイトの技術によれば、紹介者が、自らのページに、その販売者サイトのリンクを貼っているに過ぎない。また、紹介者のページ自体も、ブログやホームページのように、通常、そのショッピングサイトから販売される商品役務とは関係ないものである。
【０００６】
これに対し、発明者らは、ユーザ自らが簡易な仮想店舗ページを設けるサービスを実現したいと考えた。例えば、ユーザ自ら仮想店舗のページを作成し、そこに販売すべき商品役務を陳列することができる。通常、店舗であれば、販売する商品紹介情報（商品説明）や価格を表すページが必要となる。しかしながら、ユーザが、自らの店舗ページに商品役務の画像を貼り付けることは比較的容易にできるものの、その商品紹介情報や価格等の情報を更に追記することは極めて手間が係る作業となる。商品役務を販売する上で、その商品役務を購入したくなるような商品紹介情報を記述することは重要である。また、その商品紹介情報は、それを記述した人の「思想又は感情を創作的に表現したもの」であって、一種の著作物である。即ち、商品紹介情報の記述によっては、多くのユーザがその商品を購入する可能性があることからしても、その著作物の著作権はできる限り保護されるべきである。
【０００７】
そこで、本発明は、ユーザ自らが簡易な仮想店舗ページを公開することができると共に、著作物としての商品紹介情報を継承することができるショッピングサイト提供方法及びサーバを提供することを目的とする。
【課題を解決するための手段】
【０００８】
本発明によれば、ユーザによって操作可能な端末と、１つ以上の販売対象オブジェクトを含むユーザページを蓄積し且つ公開するショッピングサイトサーバとを有するシステムを用いたショッピングサイト提供方法であって、
販売対象オブジェクトは、画像と、当該画像が選択された際に表示すべき商品紹介情報とを含んでおり、
第１のユーザの端末が、ショッピングサイトサーバに対して、第１の販売対象オブジェクトを含む第１のユーザページを作成し且つ公開する第１のステップと、
第２のユーザの端末が、ショッピングサイトサーバに対して、第１のユーザページを閲覧し、第１のユーザページの第１の販売対象オブジェクトを継承する継承要求メッセージを送信する第２のステップと、
第２のユーザの端末が、第１の販売対象オブジェクトを含む第２のユーザページを作成し且つ公開する第３のステップと、
第３のユーザの端末が、ショッピングサイトサーバの第２のユーザページを閲覧し、第１の販売対象オブジェクトに係る商品役務の購入要求を、商取引を実行する外部サーバへ送信する第４のステップと
を有することを特徴とする。
【０００９】
本発明のショッピングサイト提供方法における他の実施形態によれば、
ショッピングサイトサーバは、ソーシャルグループ関係にあるユーザの識別子同士を蓄積するソーシャルグループ蓄積部を更に有し、
第２のステップについて、ソーシャルグループ蓄積部を用いて、第２のユーザの識別子が、第１のユーザの識別子と特定のソーシャルグループ関係にあるか否かを判定し、真と判定された場合にのみ、第２のユーザの端末は、ショッピングサイトサーバに対して、第１のユーザページを閲覧し、第１の販売対象オブジェクトを継承することができることも好ましい。
【００１０】
本発明のショッピングサイト提供方法における他の実施形態によれば、
第２のステップについて、第２のユーザの端末が、ショッピングサイトサーバに対して、第１の販売対象オブジェクトを含む第１のユーザページ自体を、第２のユーザページとして「共有」することよって第１のユーザページの全ての販売対象オブジェクトを継承することも好ましい。
【００１１】
本発明のショッピングサイト提供方法における他の実施形態によれば、
外部サーバは、販売対象オブジェクトに基づく当該商品に関する商取引を実行する販売元サイトサーバであって、第１の販売対象オブジェクトに対する購入要求が、第１のユーザ及び第２のユーザに基づくものであることを記録することも好ましい。
【００１２】
本発明のショッピングサイト提供方法における他の実施形態によれば、
外部サーバは、ショッピングサイトサーバであって、第１の販売対象オブジェクトに対する購入要求が、第１のユーザ及び第２のユーザに基づくものであることを記録することも好ましい。
【００１３】
本発明のショッピングサイト提供方法における他の実施形態によれば、
外部サーバは、販売対象オブジェクト毎にその販売者の販売者口座と、ユーザページ毎にそのユーザのユーザ口座とを管理する課金管理部を有し、
外部サーバは、課金管理部へ、当該購入要求の第１の販売対象オブジェクトに基づく販売者の販売者口座から所定の報奨ポイント数を減算すると共に、第１のユーザのユーザ口座及び第２のユーザのユーザ口座にそれぞれ、報奨ポイント数を所定割合で分割して加算することも好ましい。
【００１４】
本発明のショッピングサイト提供方法における他の実施形態によれば、
第２のステップについて、複数の異なる第２のユーザの端末が順に、ショッピングサイトサーバに対して、第１のユーザページの第１の販売対象オブジェクトをそれぞれ親子関係を持って継承し、
外部サーバは、課金管理部へ、当該購入要求の第１の販売対象オブジェクトに基づく販売者の販売者口座から所定の報奨ポイント数を減算すると共に、第１のユーザのユーザ口座、及び、第１の販売対象オブジェクトを継承した複数の第２のユーザのユーザ口座にそれぞれ、報奨ポイント数を所定割合で分割して加算する
ことも好ましい。
【００１５】
本発明によれば、ユーザによって操作可能な端末と通信可能であって、１つ以上の販売対象オブジェクトを含むユーザページを蓄積し且つ公開するショッピングサイトサーバにおいて、
販売対象オブジェクトは、画像と、当該画像が選択された際に表示すべき商品紹介情報とを含んでおり、
第１のユーザ及び第２のユーザの端末からの要求に応じて、販売対象オブジェクトを含むユーザページを公開するユーザページ公開手段と、
第２のユーザの端末から、第１のユーザページの第１の販売対象オブジェクトを第２のユーザに継承する継承要求メッセージを受信し、ユーザページ公開手段に対して第１の販売対象オブジェクトを含む第２のユーザページを公開させる販売対象オブジェクト継承手段と
を有することを特徴とする。
【００１６】
本発明のショッピングサイトサーバにおける他の実施形態によれば、
ソーシャルグループ関係にあるユーザの識別子同士を蓄積するソーシャルグループ蓄積手段を更に有し、
販売対象オブジェクト継承手段は、ソーシャルグループ蓄積手段を用いて、第２のユーザの識別子が、第１のユーザの識別子と特定のソーシャルグループ関係にあるか否かを判定し、真と判定された場合にのみ、第２のユーザの端末に、第１のユーザページの第１の販売対象オブジェクトを継承させることも好ましい。
【００１７】
本発明のショッピングサイトサーバにおける他の実施形態によれば、
販売対象オブジェクト継承手段は、第２のユーザの端末が、ショッピングサイトサーバに対して、第１の販売対象オブジェクトを含む第１のユーザページ自体を、第２のユーザページとして「共有」することよって第１のユーザページの全ての販売対象オブジェクトを継承することも好ましい。
【００１８】
本発明のショッピングサイトサーバにおける他の実施形態によれば、
第３のユーザの端末から、第２のユーザページの閲覧によって、第１の販売対象オブジェクトに係る商品役務の購入要求を受信する購入要求受信手段と、
第１の販売対象オブジェクトに対する購入要求が、第１のユーザ及び第２のユーザに基づくものであることを記録する購買履歴記録手段と
を更に有することも好ましい。
【００１９】
本発明のショッピングサイトサーバにおける他の実施形態によれば、
ショッピングサイトサーバは、販売対象オブジェクト毎にその販売者の販売者口座と、ユーザページ毎にそのユーザのユーザ口座とを管理する課金管理手段と、
課金管理手段へ、当該購入要求の第１の販売対象オブジェクトに基づく販売者の販売者口座から所定の報奨ポイント数を減算すると共に、第１のユーザのユーザ口座及び第２のユーザのユーザ口座にそれぞれ、報奨ポイント数を所定割合で分割して加算する課金制御手段と
を有することも好ましい。
【００２０】
本発明のショッピングサイトサーバにおける他の実施形態によれば、
販売対象オブジェクト継承手段は、複数の異なる第２のユーザの端末が順に、ショッピングサイトサーバに対して、第１のユーザページの第１の販売対象オブジェクトをそれぞれ親子関係を持って継承し、
課金制御手段は、課金管理手段へ、当該購入要求の第１の販売対象オブジェクトに基づく販売者の販売者口座から所定の報奨ポイント数を減算すると共に、第１のユーザのユーザ口座、及び、第１の販売対象オブジェクトを継承した複数の第２のユーザのユーザ口座にそれぞれ、報奨ポイント数を所定割合で分割して加算する
ことも好ましい。
【００２１】
本発明によれば、ユーザによって操作可能な端末と通信可能であって、１つ以上の販売対象オブジェクトを含むユーザページを蓄積し且つ公開するサーバに搭載されたコンピュータを機能させるショッピングサイトプログラムにおいて、
販売対象オブジェクトは、画像と、当該画像が選択された際に表示すべき商品紹介情報とを含んでおり、
第１のユーザ及び第２のユーザの端末からの要求に応じて、販売対象オブジェクトを含むユーザページを公開するユーザページ公開手段と、
第２のユーザの端末から、第１のユーザページの第１の販売対象オブジェクトを第２のユーザに継承する継承要求メッセージを受信し、ユーザページ公開手段に対して第１の販売対象オブジェクトを含む第２のユーザページを公開させる販売対象オブジェクト継承手段と
してコンピュータを機能させることを特徴とする。
【発明の効果】
【００２２】
本発明のショッピングサイト提供方法及びサーバによれば、ユーザ自らが簡易な仮想店舗ページを公開することができると共に、著作物としての商品紹介情報を継承することができる。
【図面の簡単な説明】
【００２３】
【図１】本発明におけるシステム構成図である。
【図２】本発明におけるシーケンス図である。
【図３】本発明におけるショッピングサイトのユーザページを表す説明図である。
【図４】販売対象オブジェクトの継承を表す説明図である。
【図５】継承された販売対象オブジェクトが購入された際における報奨ポイントの分配を表す説明図である。
【図６】本発明におけるショッピングサイトサーバ及び販売元サイトサーバの機能構成図である。
【図７】本発明におけるショッピングサイトサーバの機能構成図である。
【発明を実施するための形態】
【００２４】
以下では、本発明の実施の形態について、図面を用いて詳細に説明する。
【００２５】
図１は、本発明におけるシステム構成図である。
【００２６】
図１によれば、不特定多数のユーザは、自ら操作可能な端末２を用いて、インターネットを介して、ショッピングサイトサーバ１と、コミュニケーションサイトサーバ３と、販売元サイトサーバ４とへ、アクセスすることができる。本発明の特徴となるショッピングサイトサーバ１は、ユーザ毎の店舗ページの公開や、その店舗ページに並ぶ商品役務に関する商取引を仲介する。また、コミュニケーションサーバ３は、例えばＳＮＳ(Social Networking Service)サイトサーバであって、複数のユーザ間でコメント文章を発信し且つ購読し合うソーシャルグループを構成する。更に、販売元サイトサーバ４は、商品役務に関する商取引の課金処理（ポイントの移行（加算／減算））を実行する。勿論、販売元サイトサーバ４を備えることなく、ショッピングサイトサーバ１自体が、商取引の課金処理を実行することも好ましい。
【００２７】
近年、不特定多数のユーザが、ＳＮＳサイトサーバを介して、自らのコメント文章を活発に発信することができる。「ＳＮＳサイトサーバ」は、複数のユーザからなるソーシャルグループへ、１人のユーザによって投稿された投稿文を公開する。例えばfacebook（登録商標）やtwitter（登録商標）、google＋（登録商標）、mixi（登録商標）があり、一般にミニブログサイトとも称される。ＳＮＳサイトサーバによって発信される投稿文は、商品役務に関する批評情報である場合も多い。特定の商品役務に対する感想であって、逆に口コミ情報としても有益なものとなる場合もある。
【００２８】
図１によれば、本発明のショッピングサイトサーバ１は、インターネットを介してＳＮＳサイトサーバ３と通信することができる。ショッピングサイトサーバ１は、ＳＮＳサイトサーバ３に対して、ＡＰＩ(Application Programming Interface)を介して、投稿者の交流関係リスト（グループ情報）を取得することができる。ＡＰＩは、アプリケーションサービスの機能を利用するための規則インタフェースであって、種々のサーバ毎に異なるものとして用意されている。
【００２９】
尚、ショッピングサイトサーバ１は、グループ情報を予めデータベースに蓄積したものであってもよい。即ち、ショッピングサイトサーバ１が、ＳＮＳサイトサーバ３と通信することを必須とするものではない。
【００３０】
ＳＮＳサイトサーバ３が例えばtwitterである場合、フォロー及びフォロワー関係は一般的である。「フォロワーグループ」とは、対象ユーザから発信された投稿文を購読する複数のメンバユーザからなるグループをいう。「フォローグループ」とは、対象ユーザが投稿文の購読を所望する複数のメンバユーザからなるグループをいう。勿論、ユーザ同士で、フォロワーグループにもフォローグループにも両方に属する場合もある。また、ＳＮＳサイトサーバ３が例えばfacebookである場合、「友達」の関係をいう。更に、ＳＮＳサイトサーバ３が例えばgoogle+である場合、サークルに入れられたユーザをいう。
【００３１】
図１によれば、以下のような３人のユーザが、自ら操作可能な端末２から、ショッピングサイトサーバ１へアクセスしている。
ユーザＡ：店舗ページＡ（商品ａ、商品ｂ）を公開
ユーザＢ：店舗ページＢ（商品ａ、商品ｃ）を公開
※ユーザＢ<->ユーザＡ：ソーシャルグループ関係
ユーザＣ：店舗ページＢを閲覧して、商品ａを購入
※ユーザＣ<->ユーザＢ：ソーシャルグループ関係
【００３２】
尚、図１によれば、ショッピングサイトサーバ１又は販売元サイトサーバ４には、商品役務の販売に貢献したユーザに対する報酬ポイントを管理する課金管理装置が別途備えられていてもよい。即ち、ショッピングサイトサーバ１は、商品役務を販売する他の様々な販売元サイトサーバ４と、インターネットを介して通信することができる。
【００３３】
図２は、本発明におけるシーケンス図である。
【００３４】
（Ｓ１）ユーザＡの端末２１が、ショッピングサイトサーバ１に対して、商品ａ及びｂの販売対象オブジェクトを含むユーザページＡを公開する。
【００３５】
図３は、本発明におけるショッピングサイトのユーザページを表す説明図である。
【００３６】
図３によれば、ユーザＡの店舗ページが表されている。ユーザＡの店舗ページには、複数の販売対象オブジェクトが陳列されている。各販売対象オブジェクトは、それぞれの商品の画像であって、閲覧者には、複数の商品が店頭に陳列されているように見える。各販売対象オブジェクトは、例えばスマートフォンやタブレット端末におけるアイコンのようなものである。
【００３７】
販売対象オブジェクトは、画像と、当該画像が選択された際に表示すべき商品紹介情報とを含む。図３によれば、例えば商品ａが「スピーカ」であるとする。このとき、商品ａの画像は、その商品のスピーカの写真である。商品ａの販売対象オブジェクトが選択されると、その商品説明情報が表示されるようになっている。
【００３８】
商品説明情報としては、その商品の機能性能を表すカタログ情報と、価格情報と、ユーザ推薦情報とが含まれる。カタログ情報及び価格情報は、その商品を販売する企業から提供された情報である。これに対し、ユーザ推薦情報は、ユーザの主観的なコメントであって、その商品を薦める理由が記述されたものである。一般に多くのユーザは、このように他人によって記述されたユーザ推薦情報を参考にして、その商品の購入に至る場合が多い。即ち、そのようなユーザ推薦情報は、その文章を記述した人の著作物であると言える。
【００３９】
（Ｓ２）ユーザＢの端末２２が、ショッピングサイトサーバ１から、ユーザページＡを閲覧する。
【００４０】
ショッピングサイトサーバ１は、ソーシャルグループ関係にあるユーザの識別子同士を蓄積するソーシャルグループ蓄積部を有する。ショッピングサイトサーバ１は、ソーシャルグループ蓄積部を用いて、ユーザＢの識別子が、ユーザＡの識別子と特定のソーシャルグループ関係にあるか否かを判定する。ここでは、ユーザＢは、ユーザＡに対してソーシャルグループ関係にあるとする。
【００４１】
ユーザＢは、ソーシャルグループ関係にあるユーザＡのユーザページＡを閲覧しながら、自らも販売したいと思う販売対象オブジェクトを選択し、「お気に入り」に入れることができる。このとき、図２によれば、ユーザＢの端末２２は、ショッピングサイトサーバ１へ、ユーザＢが、ユーザＡの販売対象オブジェクトａを継承する旨の「継承要求」メッセージを送信する。これによって、ショッピングサイトサーバ１は、ユーザＢが、ユーザＡの販売対象オブジェクトを継承したことを記録する。即ち、ユーザＢは、ユーザＡに対してソーシャルグループ関係にない限り、ユーザページＡの販売対象オブジェクトを継承することもできない。販売対象オブジェクトの一部が著作物であることを考慮して、ソーシャルグループ関係のユーザにのみ、ページの閲覧と販売対象オブジェクトの継承とを可能とする。
【００４２】
図４は、販売対象オブジェクトの継承を表す説明図である。
【００４３】
図４によれば、ユーザページＡには、販売対象オブジェクトａ「スピーカ」が表示されている。ユーザＢは、その「スピーカ」の画像（アイコン）を選択し、メニュー「お気に入り」に入れることができる。「お気に入り」には、ユーザＢが、自らのユーザページＢに貼り付けることができる複数の販売対象オブジェクトが登録されている。
【００４４】
また、Ｓ２について、ユーザＢの端末２２が、ショッピングサイトサーバ１に対して、販売対象オブジェクトａを含むユーザページＡ自体を、ユーザページＢとして「共有」することによって、ユーザページＡの全ての販売対象オブジェクトを継承することもできる。この場合、ユーザＢは、ユーザページＡをそのまま引き継ぐことができる。これによって、ユーザＡとソーシャルグループ関係に無いが、ユーザＡとソーシャルグループ関係に有るようなユーザ（例えばユーザＣ）は、ユーザＢによって、ユーザページＡを閲覧することができるようになる。
【００４５】
（Ｓ３）次に、ユーザＢの操作に応じて、端末２２は、継承した販売対象オブジェクトａを含むユーザページＢを作成する。ユーザページＢには、ユーザページＡから継承した販売対象オブジェクトａや、他のユーザページから継承した販売対象オブジェクト、及び自ら作成した販売対象オブジェクトを並べることができる（図４参照）。そして、端末２２は、ユーザＢの操作に応じて作成したユーザページＢを、ショッピングサイトサーバ１へ送信し、公開する。
【００４６】
（Ｓ４）次に、ユーザＣの端末が、ショッピングサイトサーバ１から、ユーザページＢを閲覧する。ショッピングサイトサーバ１は、ソーシャルグループ蓄積部を用いて、ユーザＣの識別子が、ユーザＢの識別子と特定のソーシャルグループ関係にあるか否かを判定する。ここでは、ユーザＣは、ユーザＢに対してソーシャルグループ関係にあるとする。
【００４７】
ユーザＣは、ユーザページＢを閲覧しながら、自ら購入したいと思う販売対象オブジェクト（例えば商品ａ）を選択し、「購入」ボタンを押下することができる。販売対象オブジェクトには、その商品ａの販売元サイトサーバのＵＲＬも含められている。ここで、２つのシーケンスを取ることができる。
（第１のシーケンス）ユーザＣの端末２３は、販売元サイトサーバ１へ、販売対象オブジェクトａに係る商品役務を購入する旨の「購入要求」メッセージを送信する。
（第２のシーケンス）ユーザＣの端末２３は、ショッピングサイトサーバ１へ、販売対象オブジェクトａに係る商品役務を購入する旨の「購入要求」メッセージを送信する。
【００４８】
これによって、販売元サイトサーバ４又はショッピングサイトサーバ１は、ユーザＣの販売対象オブジェクトａに対する購入要求が、ユーザページＢを作成したユーザＢのみならず、その販売対象オブジェクトの継承元となるユーザＡに基づくものであることを記録する。
【００４９】
尚、図１のシーケンスによれば、販売元サイトサーバ１は、端末２３から購入要求を受けた決済情報を、ショッピングサイトサーバ１へ送信することも好ましい。これによって、ショッピングサイトサーバ１は、ユーザＢのページに、商品ａが購入された旨を、表示することもできる。尚、これらの決済情報の通知は、販売元サイトサーバ４からショッピングサイトサーバ１へ即時に送信されるものであってもよいし、日次のバッチ的に送信されるものであってもよい。
【００５０】
図５は、継承された販売対象オブジェクトが購入された際における報奨ポイントの分配を表す説明図である。
【００５１】
ここでは、販売元サイトサーバ４が、Ｓ４における購入要求メッセージを受信した場合について説明する。尚、ショッピングサイトサーバ１が、購入要求メッセージを受信した場合であっても同様である。
【００５２】
販売元サイトサーバ４は、販売対象オブジェクト毎にその販売者の販売者口座と、ユーザページ毎にそのユーザのユーザ口座とを管理する課金管理部を有する。図５によれば、以下の２つのテーブルを有する。
［販売者テーブル］販売対象オブジェクト毎に、販売者識別子を対応付けたテーブル
［口座テーブル］ユーザ識別子毎に及び販売者識別子毎に、口座番号を対応付けたテーブル
【００５３】
Ｓ５について、ユーザＣは、販売対象オブジェクトの商品ａを購入しようとしているとする。このとき、ユーザＣの端末２３から、販売元サイトサーバ４へ、購入要求メッセージが送信される。このとき、販売元サイトサーバ４は、以下のような情報を予め保持している。
［商品ａ］                ->販売者Ｘ->口座Ｘ
［販売されたユーザページ］->ユーザＢ->口座Ｂ
［商品ａの継承元］        ->ユーザＡ->口座Ａ
【００５４】
商品ａは、販売者Ｘによって販売されており、その口座番号は口座Ｘである。ここで、販売元サイトサーバ４は、課金管理部へ、当該購入要求の商品ａの販売対象オブジェクトに基づく販売者Ｘの口座Ｘから所定の報奨ポイント数を減算する。次に、販売元サイトサーバ４は、ユーザＡの口座Ａ及びユーザＢの口座Ｂにそれぞれ、報奨ポイント数を所定割合で分割して加算する。これは、商品ａの販売者が、商品ａが売れたことに対する報奨ポイントを、ユーザＡ及びユーザＢへ配分することを意味する。報奨ポイントとは、例えば報奨金であってもよい。実際に商品ａが売れたページは、ユーザページＢであるが、その販売対象オブジェクトａの著作物は、ユーザＡに基づくものである。即ち、ユーザＢは、ユーザＡの著作物として販売対象オブジェクトを利用させてもらったこととなる。結果的に、ユーザＡの貢献に対する報奨ポイントも配分されることとなる。
【００５５】
図２〜図５の実施形態によれば、販売者Ｘの商品ａを、ユーザページＡ及びユーザページＢを介して、ユーザＣによって購入された場合について説明した。実施形態としては、２つのユーザページに限られることなく、３つ以上のユーザページを介して、その商品が購入される場合であってもよい。３つのユーザページを介した場合、例えば以下のようなシーケンスとなる。
【００５６】
（ｓ１）ユーザＢ１の端末が、ショッピングサイトサーバ１に対して、ユーザページＡの販売対象オブジェクトａを継承し、当該販売対象オブジェクトａを含むユーザページＢ１を公開する。
（ｓ２）ユーザＢ２の端末が、ショッピングサイトサーバ１に対して、ユーザページＢ１の販売対象オブジェクトａを継承し、当該販売対象オブジェクトａを含むユーザページＢ２を公開する。
（ｓ３）ユーザＣの端末が、販売元サイトサーバ４に対して、ユーザページＢ２を閲覧し、販売対象オブジェクトａに係る商品役務の購入要求を送信する。
（ｓ４）販売元サイトサーバ４は、課金管理部へ、当該購入要求の販売対象オブジェクトａに基づく販売者の販売者口座から所定の報奨ポイント数を減算すると共に、ユーザＡのユーザ口座、ユーザＢ１のユーザ口座及びユーザＢ２のユーザ口座にそれぞれ、報奨ポイント数を所定割合で分割して加算する。
【００５７】
このように、複数の異なるユーザＢ１及びＢ２の端末が順に、ショッピングサイトサーバに対して、ユーザページＡの販売対象オブジェクトａをそれぞれ親子関係を持って継承し、当該販売対象オブジェクトａを含むユーザページＢ２を公開することができる。
【００５８】
図６は、本発明におけるショッピングサイトサーバ及び販売元サイトサーバの機能構成図である。
【００５９】
ショッピングサイトサーバ１は、ユーザによって操作可能な端末と通信可能であって、１つ以上の販売対象オブジェクトを含むユーザページを蓄積し且つ公開する。販売対象オブジェクトは、画像と、当該画像が選択された際に表示すべき商品紹介情報とを含む。
【００６０】
ショッピングサイトサーバ１は、ユーザページ公開部１１と、販売対象オブジェクト継承部１２と、購入要求受信部１３と、購買履歴記録部１４と、ソーシャルグループ蓄積部１５とを有する。これら機能構成部は、サーバに搭載されたコンピュータを機能させるプログラムを実行することによって実現される。
【００６１】
ユーザページ公開部１１は、第１のユーザ及び第２のユーザの端末からの要求に応じて、販売対象オブジェクトを含むユーザページを公開する（前述した図２のＳ１及びＳ３参照）。
【００６２】
販売対象オブジェクト継承部１２は、第２のユーザの端末から、第１のユーザページの第１の販売対象オブジェクトを第２のユーザに継承する継承要求メッセージを受信し、ユーザページ公開手段に対して第１の販売対象オブジェクトを含む第２のユーザページを公開させる（前述した図２のＳ２参照）。また、販売対象オブジェクト継承部１２は、ソーシャルグループ蓄積部１５を用いて、第２のユーザの識別子が、第１のユーザの識別子と特定のソーシャルグループ関係にあるか否かを判定し、真と判定された場合にのみ、第２のユーザの端末に、第１のユーザページの第１の販売対象オブジェクトを継承させる。
【００６３】
ソーシャルグループ蓄積部１５は、ソーシャルグループ関係にあるユーザの識別子同士を蓄積する。
【００６４】
また、販売元サイトサーバ４は、購入要求受信部４３と、購買履歴記録部４４と、課金制御部４７と、課金管理部４７とを有する。これら機能構成部は、サーバに搭載されたコンピュータを機能させるプログラムを実行することによって実現される。
【００６５】
ショッピングサイトサーバ１に対して、販売元サイトサーバ４は、当該商品役務の販売主によって運用管理されるものである。販売元サイトサーバ４は、端末からの購入要求メッセージを直接的に受信することによって、自社商品の購入を即時に知ることができる。また、これによって、商品等を迅速に発送することもできると共に、商品等の販売数や販売高についても、販売主自らが直接的に知ることができる。
【００６６】
購入要求受信部４３は、第３のユーザの端末から、第２のユーザページの閲覧によって、第１の販売対象オブジェクトに係る商品役務の購入要求を受信する（前述した図２のＳ４参照）。
【００６７】
購買履歴記録部４４は、第１の販売対象オブジェクトに対する購入要求が、第１のユーザ及び第２のユーザに基づくものであることを記録する（前述した図２のＳ５参照）。
【００６８】
課金管理部４６は、販売対象オブジェクト毎にその販売者の販売者口座と、ユーザページ毎にそのユーザのユーザ口座とを管理する。尚、課金管理部４６は、外部に配置された課金管理装置であってもよい。
【００６９】
課金制御部４７は、課金管理部１６へ、当該購入要求の第１の販売対象オブジェクトに基づく販売者の販売者口座から所定の報奨ポイント数を減算すると共に、第１のユーザのユーザ口座及び第２のユーザのユーザ口座にそれぞれ、報奨ポイント数を所定割合で分割して加算する（前述した図５のＳ５参照）。
【００７０】
図７は、本発明におけるショッピングサイトサーバの機能構成図である。
【００７１】
図７によれば、図６における販売元サイトサーバ４の機能構成部の全てを、ショッピングサイトサーバ１に取り込んだものである。各機能構成部の動作は、図６の説明と同様である。
【００７２】
以上、詳細に説明したように、本発明のショッピングサイト提供方法及びサーバによれば、ユーザ自らが簡易な仮想店舗ページを公開することができると共に、著作物としての商品紹介情報を継承することができる。
【００７３】
本発明によれば、販売対象オブジェクトには、商品説明情報として、その商品の機能性能を表すカタログ情報と、価格情報と、ユーザ推薦情報とが含まれる。ユーザ推薦情報は、その商品を薦める理由が記述されたそのユーザの主観的なコメントであって、そのユーザの著作物でもある。
【００７４】
例えばユーザＡが有名な芸能人であったとする。このユーザＡが、その商品ａを大変気に入り、その商品ａを薦める文章（ユーザ推薦情報）を記述したとする。そのユーザ推薦情報は、販売対象オブジェクトの中に埋め込まれている。芸能人のユーザＡとソーシャルグループ関係にある一般人のユーザＢは、ユーザＡのユーザページＡを閲覧することができる。そこで、ユーザページＡに貼り付けられた商品ａのユーザ推薦情報を読んで、その商品ａを自らも販売したいと考えたとする。このとき、ユーザＢは、その商品ａの販売対象オブジェクトを継承することができる。そして、ユーザＢは、自らのユーザページＢにその商品ａの販売対象オブジェクトを陳列することができる。次に、ユーザＢとソーシャルグループ関係にあるユーザＣは、ユーザＢのユーザページＢを閲覧することができる。そこで、ユーザページＢに貼り付けられた商品ａのユーザ推薦情報（ユーザＡによって記述されたもの）を読んで、その商品ａを購入したとする。この場合、商品ａを販売する企業としては、ユーザページＢを作成したユーザＢのみならず、ユーザ推薦情報を記述したユーザＡにも、その貢献があったものと考えることができる。本発明によれば、そのような関係を記録することによって、その後の報奨ポイントの配分を制御することができる。
【００７５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７６】
１  ショッピングサイトサーバ
１１  ユーザページ公開部
１２  販売対象オブジェクト継承部
１３  購入要求受信部
１４  購買履歴記録部
１５  ソーシャルグループ蓄積部
１６  課金管理部、課金管理装置
１７  課金制御部
２  端末
２１  ユーザＡの端末
２２  ユーザＢの端末
２３  ユーザＣの端末
３  ＳＮＳサイトサーバ
４  販売元サイトサーバ
４３  購入要求受信部
４４  購買履歴記録部
４６  課金管理部、課金管理装置
４７  課金制御部
【図１】
2014067213.tif 000003
【図２】
2014067213.tif 000004
【図３】
2014067213.tif 000005
【図４】
2014067213.tif 000006
【図５】
2014067213.tif 000007
【図６】
2014067213.tif 000008
【図７】
2014067213.tif 000009